(57)【要約】【課題】かつら装着具及びかつらにおいて、かつらを自毛に対し容易に着脱可能にする。【解決手段】かつらを自毛に装着するためのかつら装着具１において、線状部材を先端で折り返してなる櫛歯２を複数個備え、この複数の櫛歯のうち少なくとも１つの櫛歯は、線状部材をねじることにより形成されるねじり部２ｂを有する構成とする。【選択図】図１
2008050729.tif 000002
【特許請求の範囲】
【請求項１】
かつらを自毛に装着するためのかつら装着具において、
線状部材を先端で折り返してなる櫛歯を複数個備え、
該複数の櫛歯のうち少なくとも１つの櫛歯は、前記線状部材をねじることにより形成されるねじり部を有することを特徴とするかつら装着具。
【請求項２】
前記複数の櫛歯の並設方向に延びるベース部を備え、
前記複数の櫛歯を、前記ベース部に絡ませたことを特徴とする請求項１記載のかつら装着具。
【請求項３】
前記ベース部は、前記櫛歯の線状部材とは別個の線状部材により形成されることを特徴とする請求項２記載のかつら装着具。
【請求項４】
前記複数の櫛歯は、１本の線状部材によって連続的に形成されることを特徴とする請求項１から請求項３のいずれか１項記載のかつら装着具。
【請求項５】
前記少なくとも１つの櫛歯は、前記ねじり部よりも先端側に輪状部を有することを特徴とする請求項１から請求項４のいずれか１項記載のかつら装着具。
【請求項６】
前記少なくとも１つの櫛歯は、その先端に、前記線状部材をひねることにより形成されるひねり部を有することを特徴とする請求項５記載のかつら装着具。
【請求項７】
かつらベースに人工毛又は人毛が植毛されてなるかつらにおいて、
請求項１から請求項６のいずれか１項記載のかつら装着具を備えることを特徴とするかつら。
【請求項８】
前記かつら装着具を、かつら装着者の前頭部に対応する位置に備えることを特徴とする請求項７記載のかつら。
【請求項９】
前記かつら装着具を、複数個備えることを特徴とする請求項７又は請求項８記載のかつら。
【請求項１０】
前記かつら装着具の櫛歯は、前記かつら装着者の前頭部、側頭部、及び、後頭部に対応する位置に位置することを特徴とする請求項７から請求項９のいずれか１項記載のかつら。
【請求項１１】
前記かつら装着具の櫛歯は、前記かつらベースの周縁の全周に位置することを特徴とする請求項１０記載のかつら。
【発明の詳細な説明】
【技術分野】
【０００１】
本発明は、かつら装着者（以下、単に「装着者」という）の自毛にかつらを装着するためのかつら装着具、及びこのかつら装着具を備えるかつらに関するものである。
【背景技術】
【０００２】
従来、かつらを装着者の自毛に装着する際には、反転操作により開閉するクリップ等のかつら装着具が一般的に利用されている（例えば、特許文献１参照）。このかつら装着具は、自毛をクリップ等に挟み込ませて、かつらを自毛に装着するものである。
【０００３】
また、かつら装着具として、縒り合わせた線材を、毛髪が植毛されるネット等のかつらベースの周縁に沿って取り付けてなるものもある。この線材を用いたかつら装着具は、縒り合わせた線材の間に自毛を通して、かつらを自毛に装着するものである。
【特許文献１】実開平５−５８１３号公報
【特許文献２】特開昭６４−４０６０５号公報
【発明の開示】
【発明が解決しようとする課題】
【０００４】
ところで、上記特許文献１記載のかつら装着具は、クリップの反転操作により自毛を挟み込むため、装着作業が困難であり、手先の不器用な人には不向きであった。
【０００５】
また、上記のクリップは、かつらが自毛から外れないように、ある程度強い力で自毛を挟み込むため、自毛が引っ張られて装着者が不快に感じることもあった。
【０００６】
一方、上記特許文献２記載のかつら装着具は、縒り合わせた線材間に自毛を通すために鉤針等を用いなければならず、装着者自らがかつらを装着するのは非常に困難であった。
【０００７】
本発明の課題は、上記従来の実情に鑑み、かつらを自毛に対し容易に着脱可能なかつら装着具及びかつらを提供することである。
【課題を解決するための手段】
【０００８】
上記課題を解決するために、本発明のかつら装着具は、かつらを自毛に装着するためのかつら装着具において、線状部材を先端で折り返してなる櫛歯を複数個備え、この複数の櫛歯のうち少なくとも１つの櫛歯は、上記線状部材をねじることにより形成されるねじり部を有する構成とする。
【０００９】
上記構成によれば、櫛歯を自毛に差し込むという簡単な作業で、ねじり部が自毛と係合し、自毛が櫛歯から外れにくくなる。更には、線状部材により櫛歯が形成されるため、櫛歯と装着者の頭皮との接触面積が小さくなり、装着者の頭皮が蒸れにくい。
【００１０】
また、上記複数の櫛歯の並設方向に延びるベース部を備え、上記複数の櫛歯を、上記ベース部に絡ませた（本発明における「絡ませる」は、例えば１回転未満の「引っ掛ける」及び例えば１回転以上の「巻き付ける」を含む。）構成とするとよい。
上記構成によれば、線状部材からなる櫛歯がベース部に容易に固定される。
【００１１】
また、上記ベース部は、上記櫛歯の線状部材とは別個の線状部材により形成される構成とするとよい。
【００１２】
上記構成によれば、櫛歯をベース部に絡ませる作業が容易になると共に、ベース部を櫛歯が固定される領域の両側に延ばして配置することにより、かつら装着具のかつら（かつらベース）への縫着等が容易になる。更には、線状部材によりベース部が形成されるため、ベース部と装着者の頭皮との接触面積が小さくなり、装着者の頭皮が蒸れにくい。
【００１３】
また、上記複数の櫛歯は、１本の線状部材によって連続的に形成される構成とするとよい。
上記構成によれば、各々の櫛歯をベース部に固定する際に、頭皮等の傷つけを防止するための、線状部材の端部を覆う作業が簡易化されると共に、櫛歯のベース部への固定（絡み）が外れにくくなる。
【００１４】
また、上記少なくとも１つの櫛歯は、上記ねじり部よりも先端側に輪状部を有する構成とするとよい。
上記構成によれば、複数の櫛歯のねじり部間に位置する自毛が輪状部によって櫛歯から外れにくくなる。
【００１５】
また、上記少なくとも１つの櫛歯は、その先端に、上記線状部材をひねることにより形成されるひねり部を有する構成とするとよい。
上記構成によれば、ひねり部のひねり角度によって、櫛歯（かつら装着具）の自毛への差し込みが容易になる。
【００１６】
上記課題を解決するために、本発明のかつらは、かつらベースに人工毛又は人毛が植毛されてなるかつらにおいて、上記いずれかの構成のかつら装着具を備える構成とする。
【００１７】
上記構成によれば、櫛歯を自毛に差し込むという簡単な作業で、ねじり部が自毛と係合し、自毛が櫛歯から外れにくくなる。
【００１８】
また、上記かつら装着具を、かつら装着者の前頭部に対応する位置に備える構成とするとよい。
上記構成によれば、人から見られることの多い前頭部において、かつらが装着者の頭部から浮くようなことがない。
【００１９】
また、上記かつら装着具を、複数個備える構成とするとよい。
上記構成によれば、より強固にかつらが自毛に装着される。
【００２０】
また、上記かつら装着具の櫛歯は、上記かつら装着者の前頭部、側頭部、及び、後頭部に対応する位置に位置する構成とするとよい。
上記構成によれば、より強固にかつらが自毛に装着される。
【００２１】
更には、上記かつら装着具の櫛歯は、上記かつらベースの周縁の全周に位置する構成とするとよい。
上記構成によれば、より一層強固にかつらが自毛に装着される。
【発明の効果】
【００２２】
本発明によれば、櫛歯を自毛に差し込むという簡単な作業で、ねじり部が自毛と係合し、自毛が櫛歯から外れにくくなる。したがって、かつらを、自毛に対し容易に着脱可能とすることができる。
【発明を実施するための最良の形態】
【００２３】
以下、本発明の実施の形態に係るかつら装着具及びかつらについて、図面を参照しながら説明する。
図１は、本発明の一実施の形態に係るかつら装着具を示す平面図である。
【００２４】
同図において、かつら装着具１は、針金等の線状部材を先端２ａで折り返してなる櫛歯２を複数個（同図では１０個）備えている。これら複数の櫛歯２は、例えば針金等の１本の線状部材によって連続的に形成されている。
【００２５】
複数の櫛歯２は、線状部材をねじることにより形成されるねじり部２ｂをそれぞれ有している。このねじり部２ｂは、折り返されて少なくとも２重となる線状部材を、例えば１回転以上ねじることにより形成することが望ましい。
【００２６】
また、複数の櫛歯２は、その並設方向（矢印ａ）に延びるベース部３に絡ませられている（本発明における「絡ませる」は、「引っ掛ける」及び「巻き付ける」を含む）。ここで、ベース部３は、櫛歯２を構成する線状部材とは別個の線状部材により形成されている。また、ベース部３は、櫛歯２の絡んだ領域の両端に延びており、櫛歯２と同様に左右の先端３ａで折り返され、端部が丸め込まれて球状部３ｂが形成されている。なお、本実施の形態では、櫛歯２を構成する線状部材の端部も球状部３ｂに丸め込まれている。
【００２７】
櫛歯２は、上記のねじり部２ｂよりも先端２ａ側に輪状部２ｃを有している。この輪状部２ｃは、櫛歯２の並設方向（矢印ａ）に拡がるような輪状に形成するとよい。櫛歯２は、その先端２ａに、線状部材をひねることにより形成されるひねり部２ｄを有している。このひねり部２ｄは、輪状部２ｃの輪が、ひねり部２ｄにおいて異なる方向に向くように形成するとよい。好ましくは、ひねり部２ｄにおける輪が向く方向は、かつら装着具１の自毛への差込みを容易にするために、輪状部２ｃ（ひねり部２ｄを除く）の輪が向く方向と略直交する方向にするとよい。
【００２８】
図２は、本発明の一実施の形態に係るかつらを示す底面図である。
同図において、かつら１０は、かつらベース１１のうち装着者の前頭部に対応する位置（同図における上側）に、図１に示すかつら装着具１を備えている。かつら装着具１は、かつらベース１１の周縁に形成される周縁部１２に配置されている。また、かつら装着具１は、ベース部３の両端が被覆部材１３と周縁部１２とに挟み込まれた状態で、被覆部材１３を周縁部１２に縫着等することにより、更には、周縁部１２に位置するベース部３の任意の複数箇所を周縁部１２に縫着等することにより、かつらベース１１（かつら１０）に固定されている。なお、周縁部１２は、例えば、かつらベース１１を折り返すことにより又は他の部材を取り付けることにより、形成されている。
【００２９】
以上説明した本実施の形態によれば、櫛歯２を自毛に差し込むという簡単な作業で、ねじり部２ｂが自毛と係合し、自毛が櫛歯２から外れにくくなる。したがって、かつら１０を、自毛に対し容易に着脱可能とすることができる。
【００３０】
更には、線状部材により櫛歯２が形成されるため、櫛歯２と装着者の頭皮との接触面積が小さくなり、装着者の頭皮の蒸れを防止することができ、装着者が快適にかつら１０を装着することができる。
【００３１】
また、複数の櫛歯２を、その並設方向（矢印ａ）に延びるベース部３に絡ませたことにより、線状部材からなる櫛歯２がベース部３に容易に固定される。
【００３２】
また、複数の櫛歯２を、１本の線状部材によって形成したことにより、各々の櫛歯２をベース部３に固定する際に、頭皮への傷つけを防止するための、線状部材の端部を覆う手間が省略されると共に、櫛歯２のベース部３への固定（絡ませ）が外れにくくなる。したがって、簡素な構成によって、より強固にかつら１０を自毛に固定することができる。
【００３３】
また、櫛歯２は、ねじり部２ｂよりも先端２ａ側に輪状部２ｃを有するため、複数の櫛歯２のねじり部２ｂ間に位置する自毛が輪状部２ｃによって複数の櫛歯２間から外れにくくなる。したがって、より強固にかつら１０を自毛に固定することができる。
【００３４】
更には、輪状部２ｃを、櫛歯２の並設方向（矢印ａ）に拡がるような輪状に形成することで、輪状部２ｃの拡がり方向が櫛歯２の自毛への差込み方向と直交すること等により、櫛歯２（かつら装着具１）を自毛から外れにくくすることができる。
【００３５】
また、櫛歯２は、その先端２ａに、線状部材をひねることにより形成されるひねり部２ｄを有するため、ひねり部２ｄのひねり角度によって、櫛歯２（かつら装着具１）の自毛への差し込みを容易にすることができる。
【００３６】
また、ベース部３は、櫛歯２の線状部材とは別個の線状部材により形成されているため、櫛歯２のベース部３への絡ませる作業が容易になると共に、ベース部３を櫛歯２が固定される領域の両側に延ばして配置することにより、かつら装着具１のかつら１０（かつらベース１１）への縫着等を容易にすることができる。
【００３７】
更には、線状部材によりベース部３が形成されるため、ベース部３と装着者の頭皮との接触面積が小さくなり、装着者の頭皮の蒸れを更に防止することができ、装着者がより快適にかつら１０を装着することができる。
【００３８】
また、かつら装着具１を、かつら１０のうち、装着者の前頭部に対応する位置に配置したことにより、人から見られることの多い前頭部において、かつら１０が装着者の頭部から浮くようなことがなく、かつら１０の外観を高めることができる。
【００３９】
なお、本実施の形態に係るかつら装着具１では、全ての櫛歯２にねじり部２ｂを形成した例を説明したが、１つの櫛歯２のみがねじり部２ｂを有することでも、かつら１０を自毛に強固に装着することができる。同様に、櫛歯２の全てが輪状部２ｃ、及び、ひねり部２ｄを有している必要はない。更には、櫛歯２がねじり部２ｂを有していれば、輪状部２ｃ、及び、ひねり部２ｄを有さなくとも、自毛は櫛歯から外れにくくなる。
【００４０】
また、１本の線状部材で形成される櫛歯２は、かつら装着具１の櫛歯２の全てである必要はなく、２つ又はそれ以上の櫛歯２を、１本の線状部材で形成することにより、線状部材の端部の数を減らすことができると共に、櫛歯２がベース部３から外れるのを防止することができる。
【００４１】
更には、かつら１０をいわゆる全頭かつらとして図示したが、いわゆる部分かつらであっても、かつら装着具１を備える効果は全頭かつらと同様である。
【００４２】
図３〜図６は、本発明のその他各種の実施の形態に係るかつらを示す底面図である。
図３に示すかつら３０においては、４つのかつら装着具２１が、かつらベース３１の周縁に形成される周縁部３２に配置されている。各かつら装着具２１は、装着者の前頭部、左右の側頭部、及び、後頭部に対応する位置にそれぞれ配置されている。そのため、各かつら装着具２１の櫛歯２２も装着者の前頭部、左右の側頭部、及び、後頭部に対応する位置に位置している。
【００４３】
かつら装着具２１は、そのベース部２３の両端が被覆部材３３と周縁部３２とに挟み込まれた状態で、被覆部材３３を周縁部３２に例えば縫着することにより、更には、周縁部３２に位置するベース部２３の任意の複数箇所を周縁部３２に縫着等することにより、かつらベース３１（かつら３０）に固定されている。なお、被覆部材３３とかつらベース３１との間には、隣接する２つのかつら装着具２１のベース部２３の端部が挟み込まれている。
【００４４】
図３に示すかつら３０によれば、かつら装着具２１の櫛歯２２が装着者の前頭部、左右の側頭部、及び、後頭部に対応する位置に位置しているため、かつら３０をより強固に自毛に固定することができる。
【００４５】
図４に示すかつら５０においては、かつら装着具４１のベース部４３は、かつらベース５１の周縁に形成される周縁部５２に沿ってかつら５０を１周するように形成されている。そして、かつら装着具４１の櫛歯４２は、かつらベース５１の周縁部５２の全周に亘って略等間隔に配置されている。
【００４６】
なお、装着具４１は、周縁部５２に位置するベース部４３の任意の複数箇所を周縁部５２に縫着等することにより、かつらベース５１（かつら５０）に固定されている。
【００４７】
図４に示すかつら５０によれば、かつら装着具４１の櫛歯４２がかつらベース５１（周縁部５２）の全周に亘って略等間隔に配置されているので、かつら５０をより一層強固に自毛に固定することができる。
【００４８】
図５に示すかつら７０においては、３つのかつら装着具６１が、かつらベース７１の左右方向に亘って配置されている。各かつら装着具６１は、そのベース部６３の両端が被覆部材７３と周縁部７２とに挟み込まれた状態で、被覆部材７３を周縁部７２に例えば縫着することにより、更には、かつらベース７１に位置するベース部６３の任意の複数箇所をかつらベース７１に縫着等することにより、かつらベース７１（かつら７０）に固定されている。
【００４９】
なお、同図に示す３つのかつら装着具６１は、櫛歯６２が全て下方（即ち、装着者の後頭部方向）に向かって形成されているが、かつらベース７１に植毛される毛髪の髪型によっては、櫛歯６２の向く方向をかつらベース７１の中央部にすることで一層強固に固定することができる場合もある。
【００５０】
図５に示すかつら７０によれば、３つのかつら装着具６１が全て装着者の後頭部方向に向かって形成されているため、例えば植毛される毛髪が装着者の背中に延びるような例えば女性用かつらにおいて、かつら７０が装着者の頭部からずれるのを有効に防止することができる。
【００５１】
図６に示すかつら９０においては、図５に示すかつら７０と同様に、３つのかつら装着具８１が、かつらベース９１の左右方向に亘って配置されている。これら３つのかつら装着具８１は、そのベース部８３の中央に屈曲部８３ａが形成されている。ベース部８３は、この屈曲部８３ａから左右それぞれ後方に傾斜して延びている。
【００５２】
図６に示すかつら９０によれば、ベース部８３（かつら装着具８１）が屈曲部８３ａから後方に傾斜して延びているので、櫛歯８２が異なる方向から自毛を挟み込むように位置するため、図５に示すかつら７０よりも更に、かつら９０が装着者の頭部からずれるのを防止することができる。
【００５３】
なお、かつら装着具を配置したかつらを図２〜図６に示したが、これらのかつらはあくまで一例であり、かつら装着具の配置を変更しても、かつらを自毛に対し容易に着脱可能とすることができるため、かつら装着具の配置は図２〜図６に示した形態に限定されない。
【図面の簡単な説明】
【００５４】
【図１】本発明の一実施の形態に係るかつら装着具を示す平面図である。
【図２】本発明の一実施の形態に係るかつらを示す底面図である。
【図３】本発明のその他各種の実施の形態に係るかつらを示す底面図（その１）である。
【図４】本発明のその他各種の実施の形態に係るかつらを示す底面図（その２）である。
【図５】本発明のその他各種の実施の形態に係るかつらを示す底面図（その３）である。
【図６】本発明のその他各種の実施の形態に係るかつらを示す底面図（その４）である。
【符号の説明】
【００５５】
１      かつら装着具
２      櫛歯
２ａ      先端
２ｂ      ねじり部
２ｃ      輪状部
２ｄ      ひねり部
３      ベース部
３ａ      先端
３ｂ      球状部
１０      かつら
１１      かつらベース
１２      周縁部
１３      被覆部材
２１      かつら装着具
２２      櫛歯
２３      ベース部
３０      かつら
３１      かつらベース
３２      周縁部
３３      被覆部材
４１      かつら装着具
４２      櫛歯
４３      ベース部
５０      かつら
５１      かつらベース
５２      周縁部
６１      かつら装着具
６２      櫛歯
６３      ベース部
７０      かつら
７１      かつらベース
７２      周縁部
７３      被覆部材
８１      かつら装着具
８２      櫛歯
８３      ベース部
８３ａ      屈曲部
９０      かつら
９１      かつらベース
９２      周縁部
９３      被覆部材
【図１】
2008050729.tif 000003
【図２】
2008050729.tif 000004
【図３】
2008050729.tif 000005
【図４】
2008050729.tif 000006
【図５】
2008050729.tif 000007
【図６】
2008050729.tif 000008